(57)【特許請求の範囲】
【請求項１】
机の上に載せた装置が机の上で移動しないようにする机上への装置の固定手段であって、
机と机の上に載せた装置との間に介在させる固定板を設け、固定板の材料を荷重が加わると変形する一方、荷重が除去されると復元し、かつ粘着性を有するものによって形成し、
前記固定板の上に前記装置が載ると、該装置の荷重で前記固定板が変形することにより、該装置の凸部または凹部と対応する凹部または凸部が固定板の上に形成され、該凹部または凸部に対して前記装置の凸部または凹部が噛み合った状態となり、前記装置が横方向へ動かないようにしたことを特徴とする机上への装置の固定手段。
【請求項２】
前記机の上に凹部または凸部を形成し、前記机の上に前記固定板が載ると、前記机の上の凹部または凸部により前記固定板の下に凸部または凹部が形成され、該凸部または凹部に対して前記机の上の凹部または凸部が噛み合った状態となり、前記固定板が横方向へ動かないようにしたことを特徴とする請求項１に記載の机上への装置の固定手段。
【請求項３】
固定板の材料として、制振性を有するものを用いた請求項１に記載の机上への装置の固定手段。
【請求項４】
固定板の材料として、固定板の厚さ方向に沿って、荷重に対する変形量が異なる複数種類のものを積層して用いた請求項１に記載の机上への装置の固定手段。
【発明の詳細な説明】
【０００１】
【発明の属する技術分野】
本発明は、机上に置いた装置と机とを動かないように固定する机上への装置の固定手段に関する。
【０００２】
【従来の技術】
周辺装置であるＣＲＴやプリンタ装置は、机の上に置いて使用される。単に机の上に置くだけであると、地震があったときにはＣＲＴ等が机の上から落下して破損する。このため、図５に示すように机１の上に載せた例えばプリンタ装置２と机１とをＬ字形の横断面形状を有する固定金具３と図示しないビスとを介して固定している。
【０００３】
【発明が解決しようとする課題】
ところが、異なる装置ごとに長さ等の異なる固定金具を揃えなければならず、煩雑である。また、机の上で装置の配置換えをする際には固定金具を取り付け直さねばならず、面倒である。更に、固定金具が外部に露出するため、美観を損ねる。
【０００４】
そこで本発明は、斯る課題を解決した机上への装置の固定手段を提供することを目的とする。
【０００５】
【課題を解決するための手段】
斯る目的を達成するための請求項１に係る机上への装置の固定手段の構成は、机の上に載せた装置が机の上で移動しないようにする机上への装置の固定手段であって、机と机の上に載せた装置との間に介在させる固定板を設け、固定板の材料を荷重が加わると変形する一方、荷重が除去されると復元し、かつ粘着性を有するものによって形成し、前記固定板の上に前記装置が載ると、該装置の荷重で前記固定板が変形することにより、該装置の凸部または凹部と対応する凹部または凸部が前記固定板の上に形成され、該凹部または凸部に対して前記装置の凸部または凹部が噛み合った状態となり、前記装置が横方向へ動かないようにしたことを特徴とし、
請求項２に係る机上への装置の固定手段の構成は、前記机の上に凹部または凸部を形成し、前記机の上に前記固定板が載ると、前記机の上の凹部または凸部により前記固定板の下に凸部または凹部が形成され、該凸部または凹部に対して前記机の上の凹部または凸部が噛み合った状態となり、前記固定板が横方向へ動かないようにしたことを特徴とし、
請求項３に係る机上への装置の固定手段の構成は、固定板の材料として、制振性を有するものを用いたことを特徴とし、
請求項４に係る机上への装置の固定手段の構成は、固定板の材料として、固定板の厚さ方向に沿って、荷重に対する変形量が異なる複数種類のものを積層して用いたことを特徴とする。
【０００６】
【発明の実施の形態】
以下、本発明を図面に示す実施例に基づいて詳細に説明する。
【０００７】
（ａ）実施例１
本発明による机上への装置の固定手段の実施例を、図１に示す。図のように、机１の上に固定板５を介してプリンタ装置２が置かれている。この固定板５は、荷重が加わると徐々に変形する一方、荷重を除くと復元し、かつ粘着性を有する材料によって形成されている。このような性質を有する材料として、本実施例ではウレタン系衝撃吸収エラストマー（商品名ソルボセイン）のショア硬さが００５０度のものを用いている。
【０００８】
机１と固定板５とプリンタ装置２とは、図１（ｂ）に示すように固定されている。まず、机１と固定板５とは、固定板５の粘着力によって、固定板５と机１とが密着して固定される。次に、プリンタ装置２と固定板５とは、以下のようにして固定される。プリンタ装置２の荷重がその脚２ａから固定板５へ加わると、固定板５が変形して脚２ａの形状と対応した凹部５ａが形成され、脚２ａである凸部と固定板５の凹部５ａとが噛み合った状態になる。
【０００９】
上記のように机１と固定板５とプリンタ装置２とが相互に固定されるため、地震によって机１に横方向の荷重が加わると、机１と固定板５とは固定板５の粘着力によって固定されるために動かされることはない。次に、固定板５とプリンタ装置２とは、脚２ａと凹部５ａとの噛み合い及び脚２ａと固定板５との粘着力によって固定されるために動かされることはない。
【００１０】
（ｂ）実施例２
次に、本発明による机上への装置の固定手段の実施例２を説明する。この実施例は、実施例１において、固定板５の材質を、変形し易く粘性を有するものから、これらの性質に加えて制振性を有するものに変更したものである。
【００１１】
斯る机上への装置の固定手段を用いると、固定板５が制振性を有することから、プリンタ装置２の振動が抑制され、騒音の発生が防止される。
【００１２】
（ｃ）実施例３
次に、本発明による机上への装置の固定手段の実施例３を説明する。この実施例は、実施例１において、固定板５の材質を、変形し易く粘性を有するものから、これらの性質に加えて熱伝導性の優れたものに変更したものである。
【００１３】
斯る机上への装置の固定手段を用いると、固定板５の熱伝導性が優れていることから、プリンタ装置２の発生する熱が固定板５によって吸収され、プリンタ装置２の冷却が適正に行われる。
【００１４】
（ｄ）実施例４
次に、本発明による机上への装置の固定手段の実施例４を図２に基づいて説明する。この実施例は、硬度の異なる３種類の板６ａ，６ｂ，６ｃを積層して実施例１における固定板５と同様の固定板６を構成したものである。板６ａ，６ｂ，６ｃの順に硬度が柔らかいものから硬いものになる。
【００１５】
斯る机上への装置の固定手段を用いると、固定台６の上に載せる装置の荷重の大きさに応じて板６ａ〜６ｃの硬度を変え、固定板６の変形量を調整することができる。
【００１６】
（ｅ）実施例５
次に、本発明による机上への装置の固定手段の実施例５を図３に示す。この実施例は、実施例１における机１の上に突起１ａや突起１ｂを形成し、その上に固定板５を載せたものである。
【００１７】
斯る構成にすると、固定板５とプリンタ装置２とが実施例１で説明したように強固に固定されるだけでなく、机１と固定板５とについても、固定板５の凹部５ｂ，５ｃへ突起１ａ，１ｂが嵌まり込んだようになって強固に固定される。従って、プリンタ装置２は実施例１の場合よりも強固に机１に固定される。
【００１８】
（ｆ）実施例６
最後に、本発明による机上への装置の固定手段の実施例６を図４に示す。この実施例は、実施例１において、実施例５とは逆に、机１の上に凹部１ｃを形成し、その上に固定板５を載せたものである。
【００１９】
斯る構成にすると、固定板５が変形して凹部１ｃにはいり込み、凸部５ｄが形成される。従って、実施例５と略同様の強度でプリンタ装置２が机１に固定される。
【００２０】
なお、固定板の材料として本実施例ではウレタン系衝撃吸収エラストマーを用いたが、これに限定されるものではない。
【００２１】
【発明の効果】
以上の説明からわかるように、請求項１に係る机上への装置の固定手段によれば、荷重が加わると変形する一方、荷重を除去すると復元し、かつ粘着性を有する材料によって固定板を形成するので、装置の底の形状のいかんに拘わらず対応でき、従来のように装置ごとに異なる固定金具を準備する必要がない。また、固定板の材料は粘着性を有するので、机と固定板と装置とが粘着力によって固定される。更に固定板には装置に形成した凹凸部によって凸凹が形成されるので、凹部と凸部との噛み合いによって固定板と装置とが強固に固定される。請求項２に係る机上への装置の固定手段によれば、机上に形成した凹凸部によって固定板には凸凹が形成されるので、凹部と凸部との噛み合いによって机と固定板とが強固に固定される。
【００２２】
請求項３に係る机上への装置の固定手段によれば、固定板の材料として制振性の優れたものを用いるので、装置の振動が抑制される。
【００２３】
請求項４に係る机上への装置の固定手段によれば、硬さの異なる板を積層して固定板を構成したので、重さの異なる装置であっても、固定板の変形量を増減させて対応することができる。
【図面の簡単な説明】
【図１】本発明による机上への装置の固定手段の実施例１の使用状態に係り、（ａ）は斜視図、（ｂ）は（ａ）の要部の断面図。
【図２】本発明による机上への装置の固定手段の実施例４の使用状態を示す斜視図。
【図３】本発明による机上への装置の固定手段の実施例５の使用状態を示す断面図。
【図４】本発明による机上への装置の固定手段の実施例６の使用状態を示す断面図。
【図５】従来のプリンタ装置の固定状態を示す斜視図。
【符号の説明】
１…机
２…プリンタ装置
５，６…固定板
６ａ〜６ｃ…板
【図１】
0003644159.tif 000002
【図２】
0003644159.tif 000003
【図３】
0003644159.tif 000004
【図４】
0003644159.tif 000005
【図５】
0003644159.tif 000006